(57)【要約】      （修正有）【課題】収納容器に収納された工具を取り出すために最小限の動作で収納容器の蓋体を開閉し得るとともに、蓋体に設けられたハンドルを把持して持ち上げて携行してもしっかりとロック状態を保持することができるとともに、付勢部を係合部に嵌着することなく容易に組み立てることができる収納容器のロック構造を提供する。【解決手段】収納容器のロック構造は、蓋体２０の周縁に設けられたロックカバー部材３０と、該ロックカバー部材３０に回動自在に軸支されたロックレバー部材４０と、該ロックレバー部材４０に設けられた容器本体の被係合部１２と係合し得る係合部４２と、該係合部４２と被係合部１２との係合したロック状態を保持するように付勢する付勢部４３、４３と、を備えてなるものである【選択図】図４
2019137461.tif 000002
【特許請求の範囲】
【請求項１】
容器本体と、該容器本体の上端開放面を被蓋するように容器本体の一辺において開閉自在に軸着された蓋体と、該蓋体の軸着位置に対向する側面に設けられた収納容器のロック構造であって、該ロック構造は、前記蓋体の周縁に設けられたロックカバー部材と、該ロックカバー部材に回動自在に軸支されたロックレバー部材と、該ロックレバー部材に設けられた容器本体の被係合部と係合し得る係合部と、該係合部と前記被係合部との係合したロック状態を保持するように付勢する付勢部と、を備え、前記付勢部は、前記係合部から略斜上方の内側に延出して形成されていることを特徴とする収納容器のロック構造。
【請求項２】
ロックレバー部材は、付勢部を所定の角度以上に回転しないようにするため付勢部の回動と連動して蓋体に接触する止め部を有することを特徴とする請求項１記載の収納容器のロック構造。
【請求項３】
付勢部は、先端が反り返えるように形成された当接面を有することを特徴とする請求項１又は２記載の収納容器のロック構造。
【請求項４】
ロックカバー部材は、止め部の側面に当接してロックレバー部材の回動動作を案内する突条部を有することを特徴とする請求項２記載の収納容器のロック構造。
【請求項５】
ロックレバー部材の軸部を軸支する軸受部は、ロックカバー部材の差込口近傍に形成された第一軸受部と、蓋体のロックカバー装着部の下縁に形成された第二軸受部と、の一対からなることを特徴とする請求項１ないし３のいずれか一項に記載の収納容器のロック構造。
【請求項６】
ロックカバー部材は、開口部と、該開口部において上下方向にスライド自在に取り付けられるロックレバー固定部材と、を備え、
前記ロックレバー固定部材は、上下方向のスライド動作させるスライド操作部と、蓋体のロック状態においてロックレバー部材の止め部の先端と前記蓋体の側面との隙間に差し込むことで前記ロックレバー部材の回動を固定する差込部と、を有することを特徴とする請求項２記載の収納容器のロック構造。
【発明の詳細な説明】
【技術分野】
【０００１】
本発明は、主として工具類や小物などを収納するための収納容器のロック構造に関するものである。
【背景技術】
【０００２】
従来、収納容器の蓋体に設けられたロック構造において、開閉動作を最小限にするために、容器本体に係合するヒンジ機構からなるレバーと、該レバーの係合状態を保持するために付勢部と、を備えたものが採用されている。
【０００３】
例えば、特許文献１には、施錠版５の内側面にその他端折曲部を凹陥部３の上面に当接して施錠板５を内方に付勢する発条１０が装置されている蓋体開閉装置が開示されている。
【０００４】
また、特許文献２には、蓋体の内側面に留め具２０１がヒンジ連結され、ヒンジ連結軸に嵌着されるねじりバネ３、又は、一端は蓋体の内側面とつながり、もう一端は留め具２０１とつながるバネ４を備えた工具箱が開示されている。
【先行技術文献】
【特許文献】
【０００５】
【特許文献１】実開昭５１−１２６２９７号公開公報
【特許文献２】実用新案登録第３２０３４１２号
【発明の概要】
【発明が解決しようとする課題】
【０００６】
しかしながら、上述したいずれのヒンジ機構を備えたロック構造〔蓋体開閉装置（特許文献１）、工具箱（特許文献２）〕において、係合部〔施錠板５（特許文献１）、留め具２０１（特許文献２）〕に対して、別部材である付勢部〔発条１０（特許文献１）、バネ３、４（特許文献２）〕を嵌着するため、繰り返し開閉動作を行うと付勢部が劣化して弾性力の低下によるロック状態を保持することができなくなること、又は、付勢部が係合部から脱落して誤ってロック状態が解除されてしまうおそれがあった。また、製造時における組み立ての際に、蓋体及び係合部に付勢部を嵌着するなどしなければならず組み立ての作業効率が良くなく、部品点数も多くなるため製造するための費用が掛かる欠点があった。
【０００７】
したがって、収納容器に収納された工具などを取り出すために最小限の動作で収納容器の蓋体を開閉し得るとともに、蓋体に設けられたハンドルを把持して持ち上げて携行したとしてもしっかりとロック状態を保持することができるとともに、付勢部を係合部に嵌着することなく容易に組み立てることができる収納容器のロック構造を提供することが望まれている。
【課題を解決するための手段】
【０００８】
本発明は、上記課題に鑑み、容器本体と、該容器本体の上端開放面を被蓋するように容器本体の一辺において開閉自在に軸着された蓋体と、該蓋体の軸着位置に対向する側面に設けられた収納容器のロック構造であって、該ロック構造は、前記蓋体の周縁に設けられたロックカバー部材と、該ロックカバー部材に回動自在に軸支されたロックレバー部材と、該ロックレバー部材に設けられた容器本体の被係合部と係合し得る係合部と、該係合部と前記被係合部との係合したロック状態を保持するように付勢する付勢部と、を備え、前記付勢部は、前記係合部から略斜上方の内側に延出して形成されていることを特徴とする収納容器のロック構造である。
【０００９】
また、上述した構成に加え、ロックレバー部材は、付勢部を所定の角度以上に回転しないようにするための付勢部の回動と連動して蓋体に接触する止め部を有することが好ましい。
【００１０】
また、上述した構成に加え、付勢部は、先端が反り返えるように形成された当接面を有することが好ましい。
【００１１】
また、上述した構成に加え、ロックカバー部材は、止め部の側面に当接してロックレバー部材の回動動作を案内する突条部を有することが好ましい。
【００１２】
また、上述した構成に加え、ロックレバー部材の軸部を軸支する軸受部は、ロックカバー部材の差込口近傍に形成された第一軸受部と、蓋体のロックカバー装着部の下縁に形成された第二軸受部と、の一対からなることが好ましい。
【００１３】
また、上述した構成に加え、ロックカバー部材は、開口部と、該開口部において上下方向にスライド自在に取り付けられるロックレバー固定部材と、を備え、
前記ロックレバー固定部材は、上下方向のスライド動作させるスライド操作部と、蓋体のロック状態においてロックレバー部材の止め部の先端と前記蓋体の側面との隙間に差し込むことで前記ロックレバー部材の回動を固定する差込部と、を有することが好ましい。
【発明の効果】
【００１４】
請求項１ないし４記載の発明によれば、収納容器に収納された工具を取り出すために最小限の動作で収納容器の蓋体を開閉し得るようにヒンジ機構を備えるとともに、蓋体に設けられたハンドルを把持して持ち上げて携行したとしてもしっかりとロック状態を保持することができる収納容器のロック構造を提供することが可能である。
【００１５】
請求項５記載の発明によれば、製造時における組み立ての際に、第一軸受部に軸部の一部分を軸受させた後に、第二軸受部に軸部のその他の部分を軸受させることで、工具等を必要とすることなく容易に組み立てることができる収納容器のロック構造を提供することが可能である。
【００１６】
請求項６記載の発明によれば、収納容器の落下等の衝撃によってロックレバー部材が回動して蓋体のロック状態を解除しないようにロックレバー部材の回動を固定することができる収納容器のロック構造を提供することが可能である。
【図面の簡単な説明】
【００１７】
【図１】本発明の第１の実施形態に係るロック構造を備えた収納容器全体を示す(a)斜視図、及び、(b)平面図である。
【図２】図１のロック構造周辺の分解斜視図である。
【図３】図１のロック構造におけるロックカバー部材及びロックレバー部材を背面側からみた分解斜視図である。
【図４】ロック構造におけるロックレバー部材の付勢部及び止め部の(a)ロック状態、及び、(b)ロック解除状態、を示す図１(b)のA−A線部分拡大断面図である。
【図５】ロック構造における軸受部の構造を示す図１(b)のB−B線部分拡大断面図である。
【図６】図１の蓋体を開いた状態の収納容器全体を示す斜視図である。
【図７】本発明の第２の実施形態に係るロックレバー固定部材を有するロック構造を示す分解斜視図である。
【図８】図７のロックレバー固定部材のみを示す部分拡大斜視図である。
【図９】図７の背面側からみた組み立て状態のロック構造を示す斜視図である。
【図１０】ロックカバー固定部材を有するロック構造を備えた収納容器の正面図である。
【図１１】図１０のロック状態におけるロックレバー部材の回動自在の状態を示す(a)C−C線、(b)D―D線部分拡大断面図である。
【図１２】図１０のロック状態におけるロックレバー部材の回動が固定された状態を示す(a)C−C線、(b)D―D線部分拡大断面図である。
【発明を実施するための形態】
【００１８】
（実施形態）
本発明の第１の実施形態について図に基づいて詳細に説明する。
収納容器１００のロック構造は、図１、図４に示すように、容器本体１０と、該容器本体１０の上端開放面１１aを被蓋するように容器本体１０の一辺において開閉自在に軸着された蓋体２０と、該蓋体２０の軸着位置に対向する辺の側面位置に設けられた収納容器１００のロック構造であって、該ロック構造は、該蓋体２０の周縁に設けられたロックカバー部材３０と、該ロックカバー部材３０に回動自在に軸支されたロックレバー部材４０と、該ロックレバー部材４０に設けられた容器本体１０の被係合部１２と係合し得る係合部４２と、該係合部４２と被係合部１２との係合したロック状態を保持するように付勢する付勢部４３、４３と、を備えてなるものである。
【００１９】
容器本体１０は、図６に示すように、工具類や小物などを収納するため中空の収納空間１１と、該収納空間１１に連通する上端開放面１１aと、からなる箱形状に形成され、ロックレバー部材４０の係合部４２を係合し得る被係合部１２を有するものである。
【００２０】
被係合部１２は、図４に示すように、ロックレバー部材４０の係合部４２に設けられた後述する上方係合突起４２aと係合し得るように容器本体１０の上端開放面１１aから外周方向に延出した後に下方に垂設された断面略逆U字状に形成された容器本体外鍔部１２ａと、該容器本体外鍔部１２ａの下面より下方に突出して形成された被係合下方突起１２ｂと、を有するものである。この被係合下方突起１２ｂの被係合面１２ｃは、ロック状態をより一層しっかりと保持し得るように容器本体１０側の内方に傾斜する被係合面１２ｃを備えた被係合下方突起１２ｂを有することが好ましい。また、この被係合部１２全体の形状は、図１に示すように容器本体１０の外周面に比べて内側に凹状に形成するとともに、図４に示すように該凹状の縦方向に沿って複数のリブ１１ｄ、１１ｄを備えることで、ハンドル２３を把持して携行した際の横方向のブレに対して被係合部１２の弾性変形を抑制することができ、ロック状態の保持をより一層強固にすることが可能である。
【００２１】
容器本体１０の収納空間１１内には、図４に示すように、小物等を仕分けて収納するための取り外し自在な中皿１３を設けるとともに、この中皿１３（より具体的には、中皿１３の外周側面に形成された中皿外鍔部１３ａ）を容器本体１０内に所定の高さで載置するための収納空間１１を構成する内壁面１１ｂに形成された段部１１ｃを有することが好ましい。この段部１１ｃは、容器本体１０の内壁面１１ｂ側の容器本体外鍔部１２ａの高さ近傍に設けることで、被係合部１２の厚みをより一層肉厚にすることで持ち運び時の揺れや工具の重さによる弾性変形を抑制することができ、ロック状態の保持をより一層強固にすることが可能である。なお、この容器本体１０は、耐衝撃性の高いポリプロピレン等の合成樹脂材を主体とする素材で一体成形されるものであることが好ましい。
【００２２】
蓋体２０は、図１、図２に示すように、収納容器１００を携行するためのハンドル２３と、ロックカバー部材３０を装着するための周縁の一部を凹状に形成したロックカバー装着部２１と、を備えてなるものである。このロックカバー装着部２１の下端縁には、後述するロックレバー部材４０の軸部４５の一部である左側面を軸受する第二軸受部２２を有するものである。
【００２３】
ロックカバー装着部２１は、図４(a)に示すロック状態において、中皿外鍔部１３ａの上方に位置するするとともに、容器本体１０の被係合部１２の上縁周辺の内壁面１１ｂに当接するように下方に突出して形成された複数の突条片２４、２４を有するものである。この突条片２４、２４は、ロック状態において、被係合部１２の上縁周辺の内壁面１１ｂを当接することで、被係合部１２の変形を抑制するための強度を補強することが可能である。なお、この蓋体２０は、上述した容器本体１０と同様に、耐衝撃性の高いポリプロピレン等の合成樹脂材を主体として一体成形されるものであることが好ましい。
【００２４】
次に、ヒンジ機構を構成するロックカバー部材３０及びロックレバー部材４０について詳細に説明する。
【００２５】
ロックカバー部材３０は、図２から図４に示すように、上述のロックカバー装着部２１に装着し得るものであり、ロックレバー部材４０の付勢部４３、４３全体を被覆するとともに、蓋体２０の外周面と連続した面一になるように形成されたカバー部３１を備え、該カバー部３１の下端には、付勢部４３、４３を差し込んで固定するための差込口３２と、該差込口３２近傍に後述するロックレバー部材４０の軸部４５の一部分である右側面を軸受けする第一軸受部３３を有しているものである。
【００２６】
第一軸受部３３は、ロックレバー部材４０の軸部４５の一部分である右側面を軸受するものであり、上述した蓋体３０のロックカバー装着部３１の下端に設けられた軸部４５のその他の部分である左側面を軸受する第二軸受部２２とで、一対からなる軸受部を構成するものである。この軸受部によって、第一軸受部３３に軸部４５の一部である右側面を軸受けさせた後に、第二軸受部２２に軸部４５のその他の部分である左側面を軸受けさせる組み立て工程とすることで、発条や板バネ等の留具の部品を削減することができるとともに、ドライバ等の工具を使用することなく容易にロックカバー部材３０及びロックレバー部材４０を蓋体３０に組み立てることが可能である。
【００２７】
ロックカバー部材３０の内面には、図３に示すように、後述するロックレバー部材４０の止め部４４、４４の側面に当接し得るように縦方向に形成された複数の突条部３４、３４を有している。この突条部３４、３４によって、ロックレバー部材４０の付勢部４３、４３の一定の方向のみ弾性変形させることができるとともに、ロックレバー部材４０の幅方向のずれを防止することが可能である。
【００２８】
ロックレバー部材４０は、図２から図４に示すように、容器本体１０の被係合部１２であり容器本体外鍔部１２ａに係合してロック状態とする断面略L字状の係合部４２と、該係合部４２から容器本体１０側の上方に延出して形成され、蓋体２０のロック状態を保持するように付勢する付勢部４３、４３と、該付勢部４３、４３が所定の角度以上に回転しないようにするための止め部４４、４４と、蓋体２０第二軸受部２２及びロックカバー部材３０の第一軸受部３３からなる軸受部に軸支される軸部４５と、係合部４２を軸部４５回りの上方に回動させてロック状態を解除する操作部４１と、が一体に形成されるものである。
【００２９】
係合部４２は、容器本体１０の被係合部１２の被係合下方突起１２ｂ、１２ｂと係合し得るように、上方に突出して形成された係合上方突起４２ａ、４２ａを有するものである。この係合上方突起４２ａ、４２ａの係合面４２ｂ、４２ｂは、容器本体１０側である内方にかけて緩やかに迫り上がるように傾斜していることが好ましい。
【００３０】
付勢部４３、４３は、係合部４２の上端より蓋体２０側である内方にかけて斜め上方に複数延出して形成され、その先端に反り返った当接面４３ａ、４３ａを有するものである。この当接面４３ａ、４３ａによって、ロックカバー装着部２１に当接する一定の面積を与えることで、係合部４２に対してロック状態を保持することできる適度な付勢力を発揮することが可能である。
【００３１】
止め部４４、４４は、図２、図３に示すように、係合部４２の上端から付勢部４３、４３に対して略平行に延出するとともに、付勢部４３、４３の両側に所定間隔を空けて配設するものであり、付勢部４３、４３の長さに比べて概ね半分の長さ程度とし、平面からみて断面略コ字状にして厚みを有するように形成されているものである。この止め部４４、４４によって、図４(ｂ)に示すように、操作部４１を軸部４５回りの外方に回動させてロック状態を解除する際に、止め部４４、４４が蓋体２０のロックカバー装着部２１に当接するため、付勢部４３、４３の回転動作を所定の角度で止めて、付勢部４３、４３の先端の当接面４３ａ、４３ａから半分程度の長さの中間付近までの弾性変形によって付勢力を発揮ささせるとともに、係合部４２上端から中間付近までの弾性変形を抑制することができる。このことによって、付勢部４３、４３の弾性変形による劣化・損傷を低減し、ロック状態及びロック解除状態を繰り返して行ってもロック状態を保持するための適切な付勢力を発揮することが可能である。
【００３２】
軸部４５は、図５に示すように、係合部４２の上縁近傍に形成され、幅方向においては、少なくともロックレバー部材４０の両端、及び、止め部４４、４４近傍に略断面円形状に形成されていることが好ましい。
【００３３】
操作部４１は、ロックレバー部材４０の係合部４２を軸部４５回りに外方に回動させてロック状態を解除するために、係合部４０の下端縁付近に凹状の指掛け４１ａを有しているものである。
【００３４】
次に、第２の実施形態として収納容器１００を落下等の衝撃によってロックレバー部材４０が回動して蓋体２０のロック状態を解除しないようにロックレバー部材４０の回動を固定するため、ロックカバー部材３０の中央付近に形成された開口部３５に取り付けられたロックレバー固定部材５０を有する収納容器１００のロック構造について図７―９に基づいて詳細に説明する。なお、上述した第１の実施形態と同様の構成についての詳細な説明及び図７−１２における符号は省略する。
【００３５】
ロックレバー固定部材５０は、図７、８、９に示すように、ロックカバー部材３０の中央付近に形成された開口部３５内面側に上下方向にスライド自在に取り付けられものであって、ロックレバー部材４０の回動を固定するようにロックレバー固定部材５０を上下方向にスライド動作させるスライド操作部５１と、該スライド操作部５１にロックレバー部材４０の回動が固定された状態かどうかを表示する表示部５２と、蓋体２０のロック状態においてロックレバー部材４０の止め部４４、４４の先端と蓋体２０の側面との隙間Ｓに差し込むことでロックレバー部材４０の回動を固定する差込部５３、５３と、ロックレバー固定部材５０の上下方向のスライド動作を案内するガイド部５６と、を有するものである。
【００３６】
スライド操作部５１は、略平板状に形成されるとともに、開口部３５側に露出した表面に突出した幅広のツマミ部５１aと、左右両端においてロックカバー部材３０の内面に当接するまでスライドした場合に当接したとしてもロックカバー部材３０の内面を損傷させないように上部付近の断面形状が湾曲状に形成されたガイド部５６と、を有するものである。また、スライド操作部５１の背面側にはロックレバー部材４０の付勢部４３の回動動作を妨げないように縦方向の溝５５を有することが好ましい。
【００３７】
表示部５２は、操作部５１の表面側において、ロックレバー部材４０の回動が固定した状態を示す文字列「LOCK」と、ロックレバー部材４０の回動自在となって固定されていない状態を示す文字列「FREE」と、が上下２段で刻印されている。
【００３８】
差込部５３は、ロックレバー部材４０の止め部４４、４４の先端と、蓋体２０側の側面と、の両方に当接するように操作部５１の両端から左右方向に突出し、隙間Ｓを埋めるために下方に向かって幅が狭くなる断面略台形の四角柱状に形成されているものである。
【００３９】
係合凸部５４は、開口部３５における蓋体２０側の左右両側縁付近に上下２つに形成された略半円形状の凹部３６、３６と係合するために、操作部５１の左右両端に位置させ、断面略半円形状に正面方向に突出して形成されているものである。
【００４０】
次に、上述したロックレバー固定部材の動作について図１０―１２に基づいて詳細に説明する。
【００４１】
ロックレバー部材４０が回動自在で固定されていない状態は、図１１に示すように、ロックカバー部材４０の止め部４４と蓋体２０の側面とが離れた隙間Sを有するものである。このとき、係合凸部５４は上側の凹部３６に係合することでロックレバー部材４０が固定されずに回動自在の状態を保持ことができ、表示部５２には、上段にある文字列「LOCK」がロックカバー部材３０に隠され、開口部３５において下段にある文字列「FREE」のみ表示することができる（図８、９参照）。
【００４２】
ロックレバー部材４０の回動が固定されていない状態は、図１２に示すように、スライド操作部５１のツマミ部５１aとつまみながら下方にスライドさせることで、差込部５３がロックレバー部材４０の止め部４４と蓋体２０の側面との間に差し込まれることで、ロックレバー部材４０の回動し得る隙間Sをなくすことで固定するものである（図１１参照）。このとき、係合凸部５４は下側の凹部３６に係合することでロックレバー部材４０が固定された状態を保持ことができ、表示部５２は、下段にある文字列「FREE」がロックカバー部材３０に隠れ、開口部３５において上段にある文字列「LOCK」のみを表示することができる（図８、９参照）。
【００４３】
上記の実施形態では本発明の好ましい実施形態を例示したが、本発明は上記の実施形態に限定されるものではなく、特許請求の範囲に記載した範囲内で改善や変更が可能である。例えば、収納容器の蓋体にロック構造を複数設けるように変更することが可能である。
【符号の説明】
【００４４】
100…収納容器、10…容器本体、11…収納空間、11a…上端開放面、11b…内壁面、11c…段部、11d…リブ、12…被係合部、12a…容器本体外鍔部、12b…被係合突起、12c…被係合面、13…中皿、13a…中皿外鍔部、20…蓋体、21…ロックカバー装着部、22…第二軸受部、23…ハンドル、24…突出片、30…ロックカバー部材、31…カバー部、32…差込口、33…第一軸受部、34…突条部、35…開口部、36…凹部、40…ロックレバー部材、41…操作部、42…係合部、42a…係合上方突起、42ｂ…係合面、43…付勢部、43a…当接面、44…止め部、45…軸部、50…ロックレバー固定部材、51…スライド操作部、51a…ツマミ部、52…表示部、53…差込部、54…係合凸部、55…溝、56…ガイド部、
S…隙間。
【図１】
2019137461.tif 000003
【図２】
2019137461.tif 000004
【図３】
2019137461.tif 000005
【図４】
2019137461.tif 000006
【図５】
2019137461.tif 000007
【図６】
2019137461.tif 000008
【図７】
2019137461.tif 000009
【図８】
2019137461.tif 000010
【図９】
2019137461.tif 000011
【図１０】
2019137461.tif 000012
【図１１】
2019137461.tif 000013
【図１２】
2019137461.tif 000014